(57)【要約】      （修正有）【課題】警備員があらゆる位置を監視できるセキュリティシステムを提供する。【解決手段】セキュリティシステムであって、Ｎ個(Ｎは１７以上の整数)の監視ノードを具え、各監視ノードは、該監視ノードの位置場面のビデオソースを提供する。また、モニタリングノードを具え、該モニタリングノードは、Ｎ個の監視ノードに連繋されたディスプレイを有しており、監視ノードで所定のイベントが起こったとき、監視ノードのライブ場面と、所定イベントの前、途中及び後の所定時間におけるノードの記録場面とを、同時に連続的にディスプレイ上に表示するコントローラを具えており、該コントローラは、モニタリングノード及びＮ個の監視ノードに連繋されている。また、Ｎは２以上の整数であってもよく、セキュリティシステムはＡＴＭネットワークを具えており、該ネットワークを通じて、Ｎ個の監視ノード、モニタリングノード及びコントローラの通信が行われる。【選択図】  図１
2004350275.tif 000002
【特許請求の範囲】
【請求項１】
Ｎ個(Ｎは１７以上の整数)の監視ノードを具え、各監視ノードは、該監視ノードの位置場面のビデオソースを提供するようになし、
モニタリングノードを具え、該モニタリングノードは、Ｎ個の監視ノードに連繋されたディスプレイを有しており、
監視ノードで所定のイベントが起こったとき、監視ノードのライブ場面と、所定イベントの前、途中及び後の所定時間におけるノードの記録場面とを、同時に連続的にディスプレイ上に表示するコントローラを具えており、該コントローラは、モニタリングノード及びＮ個の監視ノードに連繋されているセキュリティシステム。
【請求項２】
各監視ノードは、夫々の監視ノードの位置から音声を受信するオーディオソースを含んでおり、コントローラは、ライブ場面又は記録場面のどちらかと関連づけられた監視ノードからの音声を再生する請求項１に記載のシステム。
【請求項３】
ＡＴＭネットワークを含んでおり、該ネットワークを通じて、Ｎ個の監視ノード、モニタリングノード及びコントローラの通信が行われる請求項２に記載のシステム。
【請求項４】
監視ノードの位置経由のアクセスを管理するアクセス制御システムを含んでおり、該アクセス制御システムは、監視ノードに連繋されている請求項３に記載のシステム。
【請求項５】
ＡＴＭネットワークは、監視ノード位置のライブオーディオフィード及びライブビデオフィードを作成するＤＶＴＳを含んでいる請求項４に記載のシステム。
【請求項６】
各ビデオソースからリアルタイムビデオを連続的に記録するＤＶＲＳを含み、ＤＶＲＳはＤＶＴＳに連繋されている請求項５に記載のシステム。
【請求項７】
ＡＴＭネットワークは、ＡＣＳ、ＤＶＴＳ及びＤＶＲＳに連繋されたＤＶＡＤＴＳの一部であり、ＤＶＴＳのリアルタイムオーディオ及びビデオ、ＡＣＳのデータ、ＤＶＲＳの非リアルタイムビデオをサポートする請求項６に記載のシステム。
【請求項８】
ＡＴＭネットワークはケーブルシステム及び回路を含み、該ＡＴＭネットワークのケーブルシステム及び回路を管理し記録するＣＭＳを含んでいる請求項７に記載のシステム。
【請求項９】
ＡＴＭネットワークと通信し、ＡＴＭネットワークの故障及び運転状態をモニターするＮＭＳ(Network Managing System)を含んでいる請求項８に記載のシステム。
【請求項１０】
モニタリングノードは、監視ノードと通信し、監視ノードに指令を送るＳＯＷ(Security Operator Station)を含んでいる請求項９に記載のシステム。
【請求項１１】
ＳＯＷは、ディスプレイを有するＧＵＩ(Graphical User Interface)を有し、所定の監視ノードに関するマップ、所定の監視ノードの位置のライブビデオウインドウ及び記録ビデオ再生ウインドウを示す動作スクリーンを有している請求項１０に記載のシステム。
【請求項１２】
ビデオソースはカメラを含み、ＳＯＷは所定位置の所望視野が得られるようにカメラの照準を合わせる請求項１１に記載のシステム。
【請求項１３】
ＳＯＷは、ＤＶＲＳ、ＡＣＳ及びＤＶＴＳを制御する請求項１２に記載のシステム。
【請求項１４】
ＳＥＲｓ(Security Equipment Room)を含み、各ＳＥＲはエンコーダを有しており、該エンコーダは、夫々のＳＥＲに連繋された監視ノードのカメラからのビデオを受信し、該ビデオを圧縮し、圧縮されたビデオをＡＴＭネットワークに伝送する請求項１３に記載のシステム。
【請求項１５】
各ＳＥＲは、接続されたＳＯＷ及び監視ノードとの間で、双方向性オーディオの送受信を行なう請求項１４に記載のシステム。
【請求項１６】
Ｎ個(Ｎは２以上の整数)の監視ノードを具え、各監視ノードは、監視ノードの位置場面のビデオソースを提供するようになし、
モニタリングノードを具え、該モニタリングノードは、Ｎ個の監視ノードに連繋されたディスプレイを有しており、
監視ノードで所定のイベントが起こったとき、監視ノードのライブ場面と、所定イベントの前、途中及び後の所定時間におけるノードの記録場面とを、同時に連続的にディスプレイ上に表示するコントローラを具えており、該コントローラは、モニタリングノード及びＮ個の監視ノードに連繋されており、
ＡＴＭネットワークを具え、該ネットワークを通じて、Ｎ個の監視ノード、モニタリングノード及びコントローラの通信が行われるセキュリティシステム。
【請求項１７】
セキュリティを維持する方法であって、
Ｎ個の監視ノード(Ｎは１７以上の整数)について、各監視ノードの位置場面のビデオソースを提供するステップと、
モニタリングノード及びＮ個の監視ノードに連繋されたコントローラを有し、Ｎ個の監視ノードに連繋されたモニタリングノードのディスプレイ上に、監視ノードに所定イベントが起こったときの監視ノードのライブ場面と、所定イベントの前、途中及び後の所定時間におけるノードの記録場面を、同時にかつ連続的に表示するステップと、
を有している方法。
【請求項１８】
各監視ノードは、夫々の監視ノードの位置から音声を受信するオーディオソースを含んでおり、コントローラにより、ライブ場面又は記録場面のどちらかと関連づけられた監視ノード位置からの音声を再生するステップを有している請求項１７に記載の方法。
【請求項１９】
ＡＴＭネットワークを通じて、Ｎ個の監視ノード、モニタリングノード及びコントローラの間で通信を行なうステップを有している請求項１８に記載の方法。
【請求項２０】
アクセスコントロールシステムにより、監視ノード位置経由のアクセスを操作するステップを有しており、アクセスコントロールシステムは、監視ノードに連繋されている請求項１９に記載の方法。
【請求項２１】
ビデオソースを提供するステップは、ＡＴＭネットワークのＤＶＴＳにより、監視ノードの位置に関するライブオーディオフィード及びライブビデオフィードを作るステップを含んでいる請求項２０に記載の方法。
【請求項２２】
ＤＶＴＳに連繋されたＤＶＲＳにより、各ビデオソースのリアルタイムビデオを連続的に記録するステップを有している請求項２１に記載の方法。
【請求項２３】
ビデオソースを提供するステップは、ＡＴＭネットワークでサポートするステップを含んでおり、該ＡＴＭネットワークは、ＡＣＳ、ＤＶＴＳ及びＤＶＲＳに連繋されたＤＶＡＤＴＳの一部であり、ＤＶＴＳのリアルタイムオーディオ及びリアルタイムビデオ、ＡＣＳのデータ、ＤＶＲＳの非リアルタイムビデオをサポートする請求項２２に記載の方法。
【請求項２４】
ビデオソースを提供するステップは、ＣＭＳにより、ＡＴＭネットワークのケーブルシステム及び回路を記録し操作するステップを含んでいる請求項２３に記載の方法。
【請求項２５】
ＡＴＭネットワーク(26)に連繋されたＮＭＳにより、ＡＴＭネットワークの故障及び運転状態をモニターするステップを有している請求項２４に記載の方法。
【請求項２６】
ビデオソースを提供するステップは、監視ノードとモニタリングノードのＳＯＷとの通信を行ない、ＳＯＷからの指令を監視ノードへ送信するステップを有している請求項２５に記載の方法。
【請求項２７】
表示するステップは、ディスプレイの動作スクリーンの上に、所定の監視ノードに関するマップ、所定の監視ノードの位置のライブビデオウインドウ及び記録ビデオ再生ウインドウを表示するステップを含んでいる請求項２６に記載の方法。
【請求項２８】
前記位置の所望の場面を得るために、ＳＯＷを用いて、ビデオソースのカメラの照準を合わせるステップを有している請求項２７に記載の方法。
【請求項２９】
ＳＯＷを用いて、ＤＶＲＳ、ＡＣＳ及びＤＶＴＳを制御するステップを有している請求項２８に記載の方法。
【請求項３０】
監視ノードのカメラからの映像を、監視ノードに連繋された各ＳＥＲのエンコーダで受信し、受信した映像をエンコーダ(52)によって圧縮し、圧縮された映像をエンコーダによってＡＴＭネットワークに伝送するステップを有している請求項２９に記載の方法。
【請求項３１】
各ＳＥＲが接続されたＳＯＷ及び監視ノードとの間で、双方向性オーディオを送受信するステップを有している請求項３０に記載の方法。
【請求項３２】
セキュリティを維持する方法であって、
Ｎ個の監視ノード(Ｎは２以上の整数)について、各監視ノードの位置場面のビデオソースを提供するステップと、
モニタリングノード及びＮ個の監視ノードに連繋されたコントローラを有し、Ｎ個の監視ノードに連繋されたモニタリングノードのディスプレイ上に、監視ノードに所定イベントが起こったときの監視ノードのライブ場面と、所定イベントの前、途中及び後の所定時間における監視ノードの記録場面を、同時にかつ連続的に表示するステップと、
ＡＴＭネットワークを通じて、Ｎ個の監視ノード、モニタリングノード及びコントローラとの間で通信を行なうステップと、
を有している方法。
【発明の詳細な説明】
【技術分野】
【０００１】
＜発明の分野＞
本発明は、単一の位置から複数の位置を監視し、所定のイベント(事象)が起こったとき、位置の情報を表示することのできるセキュリティシステムに関する。より具体的には、本発明は、単一の位置から複数の位置を監視し、所定のイベントが起こった位置の情報を表示し、該情報をＡＴＭネットワークを通じて各位置から前記単一位置へ伝送することのできるセキュリティシステムに関する。
【背景技術】
【０００２】
＜発明の背景＞
これまでのアナログＣＣＴＶ技術では、今日利用されているデジタルソルーションと比べて、十分にスケールしない。２０００以上の監視カメラを配備可能な場合、既存のＣＣＴＶインフラストラクチャーでは、監視カメラのシャー数(shear number)を有効に取り扱うことができなかった。このため、容量とスケーラビリティのために新たな技術が必要とされる。
【０００３】
警備員があらゆる位置を監視できるようにするには、監視位置とカメラの数を増やすことの他、技術の改良が必要である。セキュリティのアクセスコントロールシステム(ＡＣＳ)を、ビデオ監視システムと一体化することにより、イベント(event)が起こったとき、それらのイベントを記録することができる。警備員は、記録されたイベントに対して、ワンタッチ操作でデジタルアクセスすることができる他、イベント位置に割り当てられた監視カメラを、音声とパンチルトズーム(ＰＴＺ)映像の双方向制御することができる。監視と映像記録のサブシステムをアクセスコントロールシステムと一体化することによって、全応答時間を短縮させることができ、警備員は、新たなツールを利用して、作業の有効化を図ることができる。
【０００４】
セキュリティの目的推進を補助する新たな技術を実行する際、コストを考慮することは不可避である。例えば、空港の安全にコストがかかり過ぎると、旅行費用の負担が増える不都合がある。デジタル式監視アーキテクチャにより、例えば、音声、映像、データなどの複数のオーバーレイネットワークを、単一のネットワークバックボーンに集中させることが可能となる。これは、空港等の施設全体の統合能力を改善するだけでなく、すぐれたスケーラブル・アーキテクチャを構築するものであり、費用節約によって安全性が犠牲にされることはなく、システム全体の有効性を高めることができる。
【発明の開示】
【０００５】
＜発明の要旨＞
本発明は、セキュリティシステムに関する。セキュリティシステムは、Ｎ個の監視ノード(surveillance node)を具えており、Ｎは、１７以上の整数である。各々の監視ノードは、監視ノードの位置(location)の場面のビデオソースを提供する。セキュリティシステムは、モニタリングノード(monitoring node)を具えており、該モニタリングノードは、Ｎ個の監視ノードに連繋されたディスプレイを有している。セキュリティシステムは、監視ノードで所定のイベントが起こったとき、監視ノードのライブ場面(live scene)と、所定イベントの前、途中及び後の所定時間におけるノードの記録場面を、同時に連続的にディスプレイ上に表示するコントローラを具えており、該コントローラは、モニタリングノード及びＮ個の監視ノードに連繋されている。
【０００６】
セキュリティシステムは、Ｎ個の監視ノードを具えており、Ｎは、２以上の整数である。各々の監視ノードは、監視ノードの位置場面のビデオソースを提供する。セキュリティシステムは、モニタリングノードを具えており、該モニタリングノードは、Ｎ個の監視ノードに連繋されたディスプレイを有している。セキュリティシステムは、監視ノードで所定のイベントが起こったとき、監視ノードのライブ場面と、所定イベントの前、途中及び後の所定時間におけるノードの記録場面を、同時に連続的にディスプレイ上に表示するコントローラを具えており、該コントローラは、モニタリングノード及びＮ個の監視ノードに連繋されている。セキュリティシステムは、ＡＴＭ(Asynchronous Transfer Mode)ネットワークを具えており、該ネットワークを通じて、Ｎ個の監視ノード、モニタリングノード及びコントローラの通信が行われる。
【０００７】
本発明はセキュリティを維持する方法に関する。本発明の方法は、Ｎ個の監視ノード(Ｎは１７以上の整数)について、各監視ノードの位置場面のビデオソースを提供するステップを含んでいる。また、コントローラを有するＮ個の監視ノードに連繋されたモニタリングノードのディスプレイ上に、監視ノードに所定イベントが起こったときの監視ノードのライブ場面と、所定イベントが起こる前、途中及び後の所定時間におけるノードの記録場面を、同時にかつ連続的に表示するステップがある。コントローラは、モニタリングノード及びＮ個の監視ノードに連繋されている。
【０００８】
本発明はセキュリティを維持する方法に関する。本発明の方法は、Ｎ個の監視ノード(Ｎは２以上の整数)について、各監視ノードの位置場面のビデオソースを提供するステップを含んでいる。また、コントローラを有するＮ個の監視ノードに連繋されたモニタリングノードのディスプレイ上に、監視ノードに所定イベントが起こったときの監視ノードのライブ場面と、所定イベントが起こる前、途中及び後の所定時間におけるノードの記録場面を、同時にかつ連続的に表示するステップがある。コントローラは、モニタリングノード及びＮ個の監視ノードに連繋されている。ＡＴＭネットワークを通じて、Ｎ個の監視ノード、モニタリングノード及びコントローラの通信を行なうステップがある。
【０００９】
＜詳細な説明＞
図面を参照すると、幾つかの図において、同一又は同様な要素については同じ引用符号を付している。例えば、図１３には、セキュリティシステム(10)が示されている。セキュリティシステム(10)は、Ｎ個の監視ノード(12)を具えており、Ｎは１７以上の整数である。各監視ノード(12)は、監視ノード(12)の位置(16)の場面のビデオソース(14)を提供する。セキュリティシステム(10)は、Ｎ個の監視ノード(12)に連繋されたディスプレイ(20)を有するモニタリングノード(18)を提供する。セキュリティシステム(10)は、ディスプレイ(20)上に、監視ノード(12)に所定イベントが起こったときの監視ノード(12)のライブ場面と、所定イベントが起こる前、途中及び後の所定時間におけるノードの記録場面を、同時にかつ連続的に表示するコントローラ(22)を具えており、コントローラ(22)は、モニタリングノード(18)及びＮ個の監視ノード(12)に連繋されている。
【００１０】
各監視ノード(12)は、夫々の監視ノード(12)の位置(16)の音声を受信するオーディオソース(24)を含んでおり、コントローラ(22)は、監視ノード(12)の音声と、ライブ場面又は記録場面のどちらかとを関連づける。システムは、ＡＴＭネットワークを含むことが望ましく、該ネットワークを通じて、Ｎ個の監視ノード(12)、モニタリングノード(18)及びコントローラ(22)の通信が行われる。システムは、監視ノード(12)の位置(16)にアクセス可能なアクセスコントロールシステム(28)を含むことが望ましい。アクセスコントロールシステム(28)は、監視ノード(12)に連繋されている。
【００１１】
ＡＴＭネットワーク(26)は、監視ノード(12)の位置(16)のライブオーディオフィード及びライブビデオフィードを作るＤＶＴＳ(30)を含むことが望ましい。システムは、各ビデオソース(14)のリアルタイムビデオを連続的に記録するＤＶＲＳ(32)を含んでいる。ＡＴＭネットワーク(26)は、ＡＣＳ(28)、ＤＶＴＳ(30)及びＤＶＲＳ(32)に連繋されたＤＶＡＤＴＳ(34)の一部であることが望ましく、ＤＶＴＳ(30)のリアルタイムオーディオ及びビデオ、ＡＣＳ(28)のデータ、並びにＤＶＲＳ(32)の非リアルタイムビデオをサポートする。
【００１２】
ＡＴＭネットワーク(26)は、ケーブルシステム及び回路(36)を含んでおり、ＡＴＭネットワーク(26)のケーブルシステム及び回路(36)を操作し記録するＣＭＳ(38)を含んでいる。システムは、ＡＴＭネットワーク(26)に連繋され、ＡＴＭネットワーク(26)の故障及び運転状況を監視するＮＭＳ(40)を含んでいる。モニタリングノード(18)は、ＳＯＷ(42)を含むことが望ましく、ＳＯＷを通じて、監視ノード(12)との通信及び監視ノード(12)への指令が行われる。ＳＯＷ(42)は、ディスプレイ(20)を有するＧＵＩ(44)と、動作スクリーン(46)を有しており、該スクリーンには、所定の監視ノード(12)に関するマップ、所定の監視ノード(12)の位置(16)のライブビデオウインドウ及び記録ビデオ再生ウインドウが表示される。
【００１３】
ビデオソース(14)は、カメラ(48)を含んでおり、ＳＯＷ(42)は、カメラ(48)の照準を合わせることにより、位置(16)の所望場面が得られる。ＳＯＷ(42)は、ＤＶＲＳ(32)、ＡＣＳ(28)及びＤＶＴＳ(30)を含むことが望ましい。システムは、ＳＥＲｓ(50)を含むことが望ましい。各ＳＥＲ(50)はエンコーダ(52)を有しており、該エンコーダは、夫々のＳＥＲ(50)に連繋された監視ノード(12)のカメラ(48)からの映像を受信し、圧縮し、圧縮された映像をＡＴＭネットワーク(26)に伝送する。各ＳＥＲ(50)は、接続されたＳＯＷ(42)及び監視ノード(12)との間で、双方向性オーディオの送受信を行なうことが望ましい。
【００１４】
セキュリティシステム(10)は、Ｎ個の監視ノード(12)を具えており、Ｎは、２以上の整数である。各々の監視ノード(12)は、監視ノード(12)の位置(16)場面のビデオソース(14)を提供する。セキュリティシステム(10)は、モニタリングノード(18)を具えており、該モニタリングノードは、Ｎ個の監視ノード(12)に連繋されたディスプレイ(20)を有している。セキュリティシステム(10)は、監視ノード(12)で所定のイベントが起こったとき、監視ノード(12)のライブ場面と、所定イベントの前、途中及び後の所定時間におけるノードの記録場面を、同時に連続的にディスプレイ(20)上に表示するコントローラ(22)を具えており、該コントローラ(22)は、モニタリングノード(18)及びＮ個の監視ノード(12)に連繋されている。セキュリティシステム(10)は、ＡＴＭネットワーク(26)を具えており、該ネットワークを通じて、Ｎ個の監視ノード(12)、モニタリングノード(18)及びコントローラ(22)の通信が行われる。
【００１５】
本発明は、セキュリティを維持する方法に関する。本発明の方法は、Ｎ個の監視ノード(12)(Ｎは１７以上の整数)について、各監視ノード(12)の位置場面のビデオソース(14)を提供するステップを含んでいる。また、コントローラ(22)を有するＮ個の監視ノード(12)に連繋されたモニタリングノード(18)のディスプレイ(20)上に、監視ノード(12)に所定イベントが起こったときの監視ノード(12)のライブ場面と、所定イベントの前、途中及び後の所定時間におけるノードの記録場面を、同時にかつ連続的に表示するステップがある。コントローラ(22)は、モニタリングノード(18)及びＮ個の監視ノード(12)に連繋されている。
【００１６】
各監視ノード(12)は、夫々の監視ノード(12)の位置(16)から音声を受信するオーディオソース(24)を含んでおり、コントローラ(22)により、監視ノード(12)の位置(16)と、ライブ場面又は記録場面のどちらかと関連づけられた音声を再生するステップがある。また、ＡＴＭネットワーク(26)を通じて、Ｎ個の監視ノード(12)、モニタリングノード(18)及びコントローラ(22)の間で通信を行なうステップを有することが望ましい。
【００１７】
アクセスコントロールシステム(28)により、監視ノード(12)の位置(16)へのアクセスを操作するステップがある。アクセスコントロールシステム(28)は、監視ノード(12)に連繋されている。ビデオソースを提供するステップは、ＡＴＭネットワーク(26)のＤＶＴＳ(30)により、監視ノード(12)の位置(16)に関するライブオーディオフィード及びライブビデオフィードを作るステップを含んでいる。ＤＶＲＳ(32)により、各ビデオソース(14)のリアルタイムビデオを連続的に記録するステップを有することが望ましい。ビデオソースを提供するステップは、ＡＣＳ(28)、ＤＶＴＳ(30)及びＤＶＲＳ(32)に連繋されたＤＶＡＤＴＳ(34)の一部であるＡＴＭネットワーク(26)を用いて、ＤＶＴＳ(30)のリアルタイムオーディオ及びリアルタイムビデオ、ＡＣＳ(28)のデータ、ＤＶＲＳ(32)の非リアルタイムビデオをサポートするステップを含むことが望ましい。
【００１８】
ビデオソースを提供するステップは、ＣＭＳ(38)により、ＡＴＭネットワーク(26)のケーブルシステム及び回路(36)を記録し操作するステップを含むことが望ましい。ＡＴＭネットワーク(26)に連繋されたＮＭＳ(40)により、ＡＴＭネットワーク(26)の故障及び運転状態をモニターするステップを有することが望ましい。ビデオソースを提供するステップは、監視ノード(12)からモニタリングノード(18)のＳＯＷ(42)と通信し、ＳＯＷ(42)からの指令を監視ノード(12)へ送信するステップを有することが望ましい。
【００１９】
表示するステップは、ディスプレイ(20)の動作スクリーン(46)の上に、所定の監視ノード(12)に関するマップ、所定の監視ノード(12)の位置(16)のライブビデオウインドウ及び記録ビデオ再生ウインドウを表示するステップを含んでいる。位置(16)の所望の場面を得るために、ＳＯＷ(42)を用いて、ビデオソース(14)のカメラ(48)の照準を合わせるステップを有することが望ましい。ＳＯＷ(42)を用いて、ＤＶＲＳ(32)、ＡＣＳ(28)及びＤＶＴＳ(30)を制御するステップを有することが望ましい。望ましい実施例において、実際の制御部は、ＡＣＳサーバに格納されたデータベースの中で行われるシーケンシングセットアップの一部である。
【００２０】
監視ノード(12)のカメラ(48)からの映像を、監視ノード(12)に連繋された各ＳＥＲ(50)のエンコーダ(52)で受信し、受信した映像をエンコーダ(52)によって圧縮し、圧縮された映像をエンコーダ(52)によってＡＴＭネットワーク(26)に伝送するステップを有することが望ましい。各ＳＥＲ(50)が接続されたＳＯＷ(42)及び監視ノード(12)との間で、双方向性オーディオを送受信するステップを有することが望ましい。
【００２１】
本発明は、セキュリティを維持する方法に関する。本発明の方法は、Ｎ個の監視ノード(12)(Ｎは２以上の整数)について、各監視ノード(12)の位置場面のビデオソース(14)を用いるステップを含んでいる。また、コントローラ(22)を有するＮ個の監視ノード(12)に連繋されたモニタリングノード(18)のディスプレイ(20)上に、監視ノード(12)に所定イベントが起こったときの監視ノード(12)のライブ場面と、所定イベントの前、途中及び後の所定時間における監視ノード(12)の記録場面を、同時にかつ連続的に表示するステップがある。コントローラ(22)は、モニタリングノード(18)及びＮ個の監視ノード(12)に連繋されている。また、ＡＴＭネットワーク(26)を通じて、Ｎ個の監視ノード(12)、モニタリングノード(18)及びコントローラ(22)との間で通信を行なうステップがある。
【００２２】
本発明の運転に際し、セキュリティシステム(10)のアーキテクチャを構成する主要な要素は、アクセスコントロール、遠隔監視サポートを含むライブビデオ及びライブオーディオの監視、オーディオ及びビデオの記録、オーディオ、ビデオ及びデータの全体移送、さらにはシステム全体の管理(management)を含んでいる。目的は、警備員のために、種々の要素及びサブシステムを、整合性を有し使用が容易な１つのインターフェースに統合することである。
【００２３】
機能的には、保安体制(security door)が損なわれると、自動警報装置により、幾つかの動作が開始する。空港を監視中の警備員は、警備員の操作卓にあるワークステーションからその旨が告知される。アクセスコントロールシステム(ＡＣＳ)(28)のコンピュータアプリケーションから、無効バッジ、不正領域で使用されたバッジ、強制ドア(forced door)などの情報が送られる。セキュリティシステム(10)の最も近いカメラ(48)は、侵犯位置(violation location)(16)での動作(activities)を自動的に記録する。所定位置のカメラは、２４ｘ７を連続的に記録し、イベントの結果として、そのイベントの時及び前後の時間、例えばイベント前に４〜５分間及びイベント後の１５分間、記録された映像は後で検索できるように、タグが付される。
【００２４】
さらにまた、ドアインターコム(door intercom)との双方向音声通信もまた、同じワークステーションで開始する。同じワークステーションにおけるセキュリティシステム(10)のアプリケーション、最も近いカメラシステム(48)の映像を自動的に表示する。カメラ(48)の映像とインターコムの音声は、自動的にかつ連続的に記録され、ＡＣＳ(28)から警報が発せられ、警備員のワークステーションで利用可能な警報イベントの前後を示す記録ビデオ／オーディオクリップを待ち行列化(queue)することを要求する。この時、警備員は、何が起こったかを知ることができ、そのドアにいる人間と通信することができる。次に、警備員は、より有効かつ能率的に警報に応答するこができる。
【００２５】
さらにまた、セキュリティシステム(10)では、警備員は、何百もあるカメラ(48)の中から、要求に応じて任意の位置のライブビデオフィードを、様々なＳＯＷ(42)の位置(16)から引き出すことができる。システムの中に組み込まれたパンチルトズーム(pan-tilt-zoom)制御の能力を、双方向性オーディオと共にフル利用することにより、警備員には、警報イベントを除く監視能力が供給される。これにより、警備員は、その者の自由意思でモニタリングを行なうことができる。警備員は、データベースを検索することにより、デジタルアーカイブに格納されたイベントを引き出すことができ、例えば、特定位置(16)におけるｘ日とｙ日の間で起こった全ての動作を表示することができる。これにより、アクセスコントロールサブシステムの中で特定イベントが起こるかもしれない領域又は起こらなかったかもしれない領域に、高度の調査技術を適用することができる。
【００２６】
セキュリティシステム(10)の全体は、図１に示されるように、幾つかのサブシステムから構成される。それらのサブシステムを示すと次の通りである。
・アクセスコントロールシステム(Access Control System: ＡＣＳ)(28)
・デジタルビデオトランスポートシステム(Digital Video Transport System: ＤＶＴＳ)(30)
・デジタルビデオ記録及び格納システム(Digital Video Recording and Storage System: ＤＶＲＳ)(32)
・デジタルビデオ、オーディオ及びデータトランスポートシステム(Digital Video, Audio, and Data Transport Systemt: ＤＶＡＤＴＳ)(34)
・ネットワーク管理システム(Network Management System: ＮＭＳ)(40)
・ケーブル管理システム(Cable Management System: ＣＭＳ)(38)
【００２７】
＜アクセスコントロールシステム(ＡＣＳ)(28)＞
ＡＣＳ(28)は、Matrix Systems, Inc.から供給される。Matrix Frontierソフトウエアを用いて、一連のＩＤバッジワークステーション、データベース、サーバ、建物(building)コントローラ(22)、アクセスキーパッド及びカードリーダを通じて、固定位置(16)へのアクセスが管理される。
【００２８】
ＤＶＲＳ(32)及びＤＶＴＳ(30)のアプリケーションプログラミングインターフェース(ＡＰＩｓ)を通じて、Matrix Frontierソフトウエアは、サブシステムと直接通信を行ない、ライブオーディオフィード、ライブビデオフィード、カメラ(48)のパンチルトズーム制御、デジタル記録の再生などのリソースを要求する。このように定義されたリソースとして、例えばConcourse AのCameralがあり、シーケンス(要求されたときに行われる一連のタスク)と関連づけられるように設定することができる。このシーケンスは、次に、Concourse Aのドア２でトリガされた警報のようなイベントと関連づけられる。シーケンスは、ライブビデオフィードをセキュリティオペレータワークステーション(ＳＯＷｓ)(42)へ送信できるように構成されているので、警備員はそれに対して応答することができる。この方法により、要求された時の帯域を利用して、オンデマンドの映像が可能となる。アンダーライイングＤＶＡＤＴＳ又はバックボーンＡＴＭネットワーク(26)を利用して、サービスの質(Quality of Service; ＱｏＳ)の高い相手選択接続(Switched Virtual Circuits;ＳＶＣｓ)が提供される。これは、ＡＣＳイベントが監視ノードをモニタリングすることの重要性を考えると、警備員が所望する場合、単一のワークステーションで何千ものカメラのモニタリングが可能となる。
【００２９】
Matrix Systems, Inc.から供給されるＡＣＳ(28)は、アクセスキーパッド又はカードリーダを含み、制御されたドアアクセス用サブシステムから構成される。これらのサブシステムは、建物コントローラ(22)を通じてサーバにリンクされ、ＶＰＮと共通位置にあり、ＤＶＡＤＴＳ(34)のノードに接続される。また、空港の周りの様々な位置(16)に配置された幾つかのセキュリティオペレータワークステーション(ＳＯＷｓ)もまた、同じＶＰＮに接続される。
【００３０】
ＡＣＳは、アプリケーションプログラミングインターフェース(ＡＰＩｓ)を通じて、ＤＶＲＳ(32)及びＤＶＴＳ(30)のサブシステムと通信を行なう。ＤＶＲＳ(32)及びＤＶＴＳ(30)のサブシステムもまた、前記ＶＰＮにネットワーク接続され、ＤＶＡＤＴＳ(34)上をトランスポートされる。この通信は、ＤＶＡＤＴＳ(34)の中で行われ、主として、ネットワーキングプロトコルＩＰである。
【００３１】
＜デジタルビデオトランスポートシステム(ＤＶＴＳ)(30)＞
デジタルビデオトランスポートシステム(ＤＶＴＳ)(30)のサブシステムは、Cellstack Systems Limitedの生産ラインにあるハードウエア及びソフトウエアで構成されている。ＤＶＴＳ(30)の役割は、要求のあるどんなデコーダ位置(16)に対しても、高品質で、フルフレームレート(３０ｆｐｓ)、フルインターレースのビデオフィードを、関連づけられた双方向性オーディオと共に提供することである。ＤＶＴＳ(30)は、そのデータポートをエンコードカードに用いて、カメラを遠隔操作するための手段をさらに具えている。ＤＶＴＳ(30)のサブシステムは、デジタルオーディオ及びデジタルビデオのエンコード及びデコードを行なうサブシステムであり、デジタルビデオ信号をトランスポートするために、高信頼性と低レイテンシを実現する。Centauriのビデオハブは、単一のＡＴＭベースのシャーシ内で、パンチルトズーム制御とオーディオインターコムが統合された機能を内蔵した唯一のシステムである。
【００３２】
ＤＶＴＳ(30)は、スロット数１２、１９"ラック搭載のシャーシであるCellStack Centauriのビデオハブに集中するように設計される。Centauriは、１９"高性能シャーシをベースにしたモジュラーアーキテクチャであり、最大２４のＮＴＳＣ(又はＳビデオ)をサポートしており、フルモーション、１秒当たり３０フレーム、デジタルＭＪＰＥＧ圧縮である。アップリンク回線は、ＯＣ−３１５５Ｍｂｐｓの４本のＡＴＭ光フィバーであり、負荷分散し、デュアルホーミングを用いており、帯域及び故障許容力が増大する。モジュールについて、リダンダント・シャーシコントローラ、２２個のリダンダント・クーリングファン、ホットスワップ(hot swap)機能により、さらなる故障許容力がもたらされる。システムは、高度にモジュール化されており、拡張可能で、信頼性が高く、MarconiのＡＴＭ ＤＶＡＤＴＳ(34)と完全に互換性を有している。
【００３３】
Centauriは、各カメラ(48)からセキュリティ機器ルーム(Security Equipment Room: ＳＥＲ)(50)にＮＴＳＣビデオを送る端末となる。ＮＴＳＣビデオは、Ｍ−ＪＰＥＧエンコーダ(52)を用いて圧縮され、ＡＴＭに送られて、セキュリティシステム(10)(Capella Lite)の任意のCellstackデコーダの切換えと伝送が行われる。ビデオと共に、Centauriは、双方向オーディオ、ＰＴＺカメラ(48)の制御データインターフェース、Ｉ／Ｏ Ｉ２ＣからCentauriコントローラへの遠隔拡張ユニット、及びネットワークのエッジスイッチ(ＡＳＸ−１０００)に対する最大４個の１５５Ｍｂｐｓ接続を具えている。
【００３４】
Centauriのビデオ／オーディオ／データをセキュリティオペレータワークステーションと接続できるように作られたCellStackのデコーディング製品は、Cappella Liteである。Capella Liteは、低遅延、高品質及び双方向のオーディオをサポートする独立型ユニットである。Capella Liteは、１５５ＭｂｐｓのＯＣ−３インターフェースを介して、ＡＴＭのエッジアーキテクチャに接続する。単一の複合ビデオ出力と、高性能の双方向性モノオーディオチャンネルは、ＳＯＷ(42)に接続されて、ヒューマンインターフェースに対し、リアルタイムネットワークのセキュリティ対策となるものである。双方向対話を行なうために、オペレータのマイクロホンヘッドセットに、遠隔インターコムを配備する。Frontierアプリケーションにおいて適用可能な警報コールボタンイベント、又はCellStack Operatorアプリケーションを用いて、オペレータ主導による警報コールボタンイベントを獲得することにより、オーディオ接続が行われる。Centauriのオーディオ入力／出力を、ＤＶＲＳ(32)のサブシステムのオーディオパッチパネル入力へ橋渡しするオーディオインターフェースを介して、オーディオは、同時に記録されるであろう。
【００３５】
外的イベントがＤＶＴＳ(30)のサブシステムに入り易くするために、CellStackは、ドライコンタクトクロージャを検知するユニットを提供している。ユニットは、多くの使用が可能であり、セキュリティシステム(10)における主な使用例として、インターコムステーションでコールボタンが押されたことを検知することが挙げられる。遠隔の拡張ユニット(Remote Expansion Unit: ＲＥＵ)は、１９"ラックが搭載された独立型CellStackデバイスであり、第三者のデバイスに対するＲＪ−４５インターフェースポートを最大３２個具えている。セキュリティシステム(10)のＲＥＵと接続するデバイスは、空港全体に配置されたコールボタンである。遠隔の拡張ユニットは、コールボタンを検知する。そのアクションは、工業規格のＩ２Ｃバスを通じて、CentauriＩ／Ｏインターフェースに送られ、ＡＴＭを介して、適当なデータがネットワークへ入れられる。CellStack Gatewayソフトウエアは、このデータを受信し、クライアントのソフトウエア(Matrix Frontier Application)の指令及び制御の下で、適当な応答アクションが行われる。
【００３６】
このシステムアーキテクチャの場合、何百もの監視カメラ(48)からのフルモーション、最大解像度の映像を、空港全体の複数の目的地へトランスポートするための光ファイバーの要件を、これまでのアナログＣＣＴＶシステムと比べて大きく低減することができる。アーキテクチャは、対向(point-to-point)又は１対多方向(point-to-multi-point)式のビデオストリームの両方をサポートする。カメラ(48)の位置(16)から送られる単一のデジタルビデオ信号は、モニタリング位置(16)の数による帯域要件を増やすことなく、全てのＳＯＷ(42)へ送られる。このように、相手選択接続(ＳＶＣｓ)を通じてオンデマンドビデオが提供され、帯域管理を行なうことにより、セキュリティシステム(10)は、数に制限のないカメラ(48)の位置(16)にスケールが合わされる。さらにまた、ビデオ及びオーディオに対して、ＳＶＣｓにＱｏＳコントラクトを適用できるので、管理アプローチにより、ＤＶＡＤＴＳ(34)ネットワークの中のセキュリティ関連トラフィックの優先性及び性能を保証することができる。
【００３７】
技術仕様（例）
[ライブビデオ]
・  ＮＴＳＣ
・  ＭＪＰＥＧ圧縮
・  ３０ＦＰＳ（６０フィールド）
・  インターレース
・  ７２０×４８０解像
・  入力／出力インピーダンス  ７５オーム
[Centauriのオーディオインターフェース]
・  入力：
レベル：  １ＶＲＭＳ  Unbal.／２ＶＥＲＭＳ  Bal.
インピーダンス：  ４０Ｋオーム UnBal.／４０Ｋオーム Bal.
・  出力
レベル：  .７０７ＶＲＭＳ  Unbal.／２ＶＥＲＭＳ  Bal.
インピーダンス：  ６００オーム＠１ＫＨｚ  Unbal.／ｘオーム  Bal.
[Capellaのオーディオインターフェース]
・  入力：
レベル：  １ＶＲＭＳ  Unbal.／２ＶＥＲＭＳ  Bal.
インピーダンス：  ２０Ｋオーム UnBal.／４０Ｋオーム Bal.
・  出力
レベル：  １ＶＲＭＳ  Unbal.／２ＶＥＲＭＳ  Bal.
インピーダンス：  ６００オーム＠１ＫＨｚ  Unbal.／１オーム  Bal.
[ＡＴＭ接続性]
・  Centauriにつき、(4)ＯＣ−３  １５５Ｍｂｐｓ
・  マルチモードファイバー
・  ＳＣコネクター
・  ＯＣ−３につき、６ビデオストリーム
・  最大２２のＭｂｐｓ／ストリーム(所望品質に基づいて調節可能)
・  ＶＢＲ−ＮＲサービス
・  ＵＮＩ３.０／３.１
・  １００ｋｂｐｓ−５００ＫｂｐｓデータＳＶＣのコール設定
・  別個のＳＶＣのビデオからのオーディオ
・４８Ｋｂｐｓで実行されたオーディオストリーム
＜デジタルビデオ記録システム(ＤＶＲＳ)(32)＞
NICE Systems LTDから供給されるデジタルビデオ記録システムは、最新技術のものであり、当初のデジタルレコーダシステムを越えた技術世代である。仕様で要求されるフレームレートでシステムに接続された全てのカメラ(48)のリアルタイムビデオは、ＤＶＲＳ(32)技術により、各セキュリティ機器ルーム(50)の中で連続的に記録される。
【００３８】
全てのカメラ(48)の信号は、ビデオパッチベイ(ＶＰＢ)を介して、ＤＶＲＳ(32)からＤＶＴＳ(30)にリンクされ、全てのカメラ(48)の記録がリアルタイムで行われる。ビデオパッチベイ(ＶＰＢ)は、ビデオブリッジとして供され、ＤＶＲＳ(32)とＤＶＴＳ(30)との間で、両サブシステムで使用するためにカメラ信号を分割する。ＤＶＲＳ(32)ロガーで局部的に記録された情報は、所定時間経過後、最終的にオーバライトされるが、Frontier Ops スクリーン(ロガーのハードドライブ又はJukeBoxテープに短期ベースで存在する)から再生するために、及び／又は、長期のアーカイバル保存(ＬＴＡＳ)／中央保存サーバ(ＣＳＳ)(ＣＳＳからの再生はＮＩＣＥアプリケーションを必要とする)から再生するために、ビデオ／オーディオセグメントはタグが付される。
【００３９】
簡単に述べると、イベント条件が起こった後、イベント前の処理時間から、イベント後の所定時間まで、そのビデオ／オーディオセグメントは、ＡＣＳ(28)の警報条件と関連づけられたタグが付される。長期保存のためにイベントにタグが付される場合、非リアルタイムで、ビデオ／オーディオセグメントは、ＤＶＡＤＴＳ(34)のＡＴＭネットワーク(26)が実行したＶＰＮを通して中央デジタル保存機器に送られ、ここで、ＬＴＡＳの中に自動的に記録され、アーカイブされる。そうでない場合、タグが付されたイベントは、所定のロガー又はそれに関連づけられたテープJukeBoxに存在する。イベントの数、セグメントの長さ及び特定されたフレームレートに応じて、中央保存部は、設定された時間において、タグ付きビデオ／オーディオセグメントの長期保存を獲得し、保持する。アーカイブされたこれらのセグメントは、局部ロガー又はＬＴＡＳのどちらでアーカイブされる場合も、任意のＳＯＷ(42)又はＤＶＡＤＴＳ(34)に接続されて所定ソフトウエアを用いるその他ワークステーションにリコールし、調べることができる。
【００４０】
ＤＶＲＳ(32)のサブシステムはまた、ウェブアクセスサーバ(ＷＡＳ)として供され、使用者は、適当な認証及びInternet Explorer ５.５以上を用いて、ＨＴＰＰリンクのＤＶＲＳ(32)の機能を利用することが可能となる、記録されたビデオ／オーディオの観察、又はＤＶＲＳ(32)システムのモニタリング等を行なうことができる。ブラウザからＷＡＳへ送られたＨＴＴＰのリクエストは、ＡＰＩの指令に変換され、適当なロガーへ送られる。Ｈ２６３＋ビデオストリームは、次に、ロガーから、呼出しＨＴＴＰブラウザ上にインストールされたＨ２６３＋プレーヤへ送られる。
【００４１】
＜デジタルビデオ、オーディオ及びデータのトランスポートシステム(ＤＶＡＤＴＳ)(34)＞
Marconiは、高い信頼性で監視可能なオーディオ、ビデオ及びデータのネットワークを開発した。これは、完全に網状化され、セキュリティシステム(10)をサポートするように物理的に配置されている。これは、ＤＶＴＳ(30)に対するリアルタイムオーディオ及びビデオ、ＡＣＳ(28)に対する警報データ、ＤＶＲＳ(32)に対する非リアルタイムビデオ、ＤＶＴＳ(30)に対するＰＴＺ制御並びにＮＭＳ(40)及びＣＭＳ(38)制御をサポートする。
【００４２】
システムアーキテクチャ(図２参照)は、コアに４個のＡＳＸ−４０００ＡＴＭスイッチと、エッジに１５個のＡＳＸ−１０００ＡＴＭスイッチから構成され、帯域をアグリゲートし、ＤＶＴＳ(30)、ＤＶＲＳ(32)及びＡＣＳ(28)の機器へトランスポートする。種々のサブシステムとのイーサネット(登録商標)接続は、１５のＥＳ−２８１０ＡＴＭエッジスイッチ(セキュリティ機器ルームに１つ)によってもたらされ、ＬＡＮエミュレーション(ＬＡＮＥ)を用いて、必要なバーチャルプライベートネットワーク(Virtual Private Networks: ＶＰＮ)がＡＴＭバックボーンに形成される。
【００４３】
＜ＡＴＭコアバックボーン＞
コアネットワークバックボーンは、完全に網状化された４つのＡＳＸ−４０００ＡＴＭスイッチから構成され、ＭＴＢＦは２５３１３２時間であり、システムのアベイラビリティは、ＯＣ−４８ｃをコア内の単一モード光ファイバーケーブルを通して動作させたとき９９.９９９６％(設定)である。各々のコアスイッチの網状接続は、他の３つのコアスイッチとのＯＣ−４８ｃリンクである。各々のＡＳＸ−４０００コアスイッチは、ＯＣ−１２ｃリンクを介して、ネットワークエッジにあるＡＴＭ ＡＳＸ−１０００スイッチの中の論理的に隣接するスイッチに接続される。
【００４４】
バックボーンで単一又は二重の光学接続のどれかが故障した場合、ＡＴＭスイッチは、自動的に故障の周りの全てのトラフィックを自動的にリルーティング(re-routing)するが、このとき、人間の介入は一切ない。完全網状化設計のため、エッジは、単一のどのコアスイッチ故障にも耐えることができ、コアは、エッジの帯域要件をキャリーすることができる。
【００４５】
各々のＡＳＸ−４０００は、シャーシ内の帯域が２０Ｇｂｐｓに設定され、選択的に２０Ｇｂｐｓを越えるように追加することもできる。コアセキュリティシステム(10)のＡＳＸ−４０００スイッチに３つのＯＣ４８ｃが接続される場合、コアの総帯域は７.５Ｇｂｐｓである。
【００４６】
ＡＳＸ−４０００の設定の一例を次に示す。
・  ノンブロッキングスイッチ容量２０Ｇｂｐｓ
但し、fabrics 3 & 4 をインストールして４０Ｇｂｐｓまで拡張可能
・  ４つのＯＣ４８ｃ、２.４８８Ｍｂｐｓポート
・  １２のＯＣ１２ｃ、６２２Ｍｂｐｓポート
・  スイッチコントロールプロセッサ(ＳＣＰ)、Ｐ５
・  ８.×ForeThought(商標名)スイッチコード
・  リダンダント・ファン
・  ４つのロードシェアリングＡＣ電源(Ｎ＋１)
・  ネットワーク機器構築システム(ＮＥＢＳ)準拠
【００４７】
＜ＡＴＭエッジ＞
ＡＳＸ−１０００
ネットワークエッジでは、各セキュリティ機器ルーム(ＳＥＲ)(50)は、１つのMarconi ＡＳＸ−１００マルチサービスＡＴＭスイッチと、１つのＥＳ−２８１０を含んでいる。各エッジのＡＳＸ−１０００スイッチは５Ｇｂｐｓのfabricバックボーンが組み込まれており、ネットワーク信頼性のために、コアＡＳＸ−４０００に接続されたデュアルホームである。また、各ＡＳＸ−１０００は、ネットワークコアへ接続するためのＯＣ−３ｃリンクを有するMarconiＥＳ−２８１０スイッチに接続されている。MarconiＥＳ−２８１０スイッチは、種々のサブシステムに必要なイーサネットサービスを提供する。
【００４８】
ＯＣ−１２ｃで使用される２対の複数又は単一モードの光ファイバーケーブルは、各ＳＥＲ(50)を、４つのＡＳＸ−４０００バックボーンスイッチからなるコアネットワークに接続する。その接続は、コア内のいかなる単一故障(single failure)の周囲にも経路が形成されるように行われ、１つのＯＣ−１２ｃが１つのコアスイッチに、１つのＯＣ−１２ｃが他方のコアスイッチに接続される。各ＳＥＲ(50)は、当初設計容量の１００％以上のスケールで稼働するときのために、余分のスロットと容量を有している。
【００４９】
ＡＳＸ−１０００ＡＴＭコアスイッチの各々は、冗長性(リダンダンシー)をサポートするように構成された２つの電源を含んでいる。スイッチの構成は、各々がＯＣ−１２を制御する２つのfabricsと、２つのＯＣ−３ＭＭネットワークモジュールからなる。
【００５０】
各ＳＥＲ(50)をベースとするスイッチの中には、追加のセキュリティ要請指令があった場合、ネットワークモジュールの追加を許容し得る十分な容量がある。各ＳＥＲ(50)のマルチサービススイッチ(ＡＳＸ−１０００)は、ＡＴＭfabric上でノンブロッキング容量を最大１０Ｇｂｐｓまでサポートできる容量を有しており、将来の拡張に備えて、各ＳＥＲ(50)で利用可能な未使用ネットワークモジュールを少なくと１０以上有している。
【００５１】
ＡＳＸ−１０００の構成は、例えば、次の通りである。
・  ノンブロッキングスイッチ容量２.５Ｇｂｐｓ
但し、fabrics 3 & 4 をインストールして１０Ｇｂｐｓまで拡張可能
・  １６のＯＣ３ｃ、１５５ｍｂｐｓポート
・  ２つのＯＣ１２ｃ、６５５ｍｂｐｓポート
・  ８.×ForeThought(商標名)スイッチコード
・  リダンダント電源
【００５２】
＜ＥＳ−２８１０＞
ＥＳ−２８１０は、ネットワークのエッジにてイーサネット接続をもたらす。ＥＳ−２８１０は、ＯＣ−３ｃのマルチモードファイバーを経て、ＳＥＲ(50)にてＡＳＸ−１０００に接続される。ＥＳ−２８００の各々には、２４の１０／１００ｂａｓｅＴ自動検知接続がある。
【００５３】
＜ＡＴＭルーティング、サービス及びセキュリティ＞
システム中に設定された様々なエミュレートＬＡＮ(ＥＬＡＮＳ)に故障許容性が得られるように、ネットワークの中に、分散型(distributed)ＬＡＮエミュレーション(ＤＬＥ)サービスも組み込まれる。ＤＬＥの場合、ネットワーク中で故障しても、ＬＡＮＥサービスを妨害しない。
【００５４】
さらにまた、全てのＡＴＭスイッチは、ＰＮＮＩルーティングソフトウエアを使用し、問題の周囲のトラフィックを自動的にリルートする。リルート時間は、１０ミリ秒よりも短い時間で、独立して確認される。これは、ＯＳＰＦやＲＩＰなどのＩＰベースのどんなルーティングプロトコルよりも速い。ネットワークセキュリティは、物理的単離、ファイアウォール、固有のＮＳＡＰアドレッシング、機器要素のパスワード保護、ＳＮＭＰのコミュニティパスワード等を含んでおり、これらは種々のレベルに維持される。
【００５５】
＜ケーブル管理システム(ＣＭＳ)(38)＞
ケーブル管理システム(ＣＭＳ)(38)は、統合セキュリティソルーションに加えられる。なお、前記ソルーションは、全ての通信ケーブル、ダクトバンク、ケーブル経路、機器、アウトレット、設置及び試験データ、状況追跡調査、及び既存施設のAutoCadファイルの導入の管理を行なうためのソフトウエア及びハードウエアから構成される。さらにまた、ＣＭＳ(38)は、セキュリティシステム(10)の全ての要素について、承認されたラベリングコンベンション(labeling conventions)及びその後のラベリングの実行を含んでいる。セキュリティシステム(10)によって集められた有意データは、７０００以上のケーブル端末、数百もの個々の機器／要素、関連性を有する全てのラックの正面図、ＣＡＤ図及び試験データに含まれている。
【００５６】
ＣＭＳ(38)の基本的な目的は、セキュリティシステム(10)におけるケーブルシステム及びネットワーク制御機器について、個々の回路と容量を追跡することである。しかし、これら基本的事項を越えて、ＣＭＳ(38)は、セキュリティシステム(10)に配備される全ての要素の完全資産管理(full asset management)の追跡、施設のＣＡＤ部門からの最新のものを引き出す自動導入機能(automated importation functions)、サービストラッキングモジュール、及びプロジェクト要素に集中される階層ドリルダウン能力を提供できるように構成される。
【００５７】
Marconiは、セキュリティシステム(10)に、予測データを入力し、検索を行えるようにするために、１つのＣＭＳ(38)サーバと、５つのＣＭＳ(38)ワークステーションを供給する。新たにインストールされたＣＭＳ(38)システムは、空港のプロジェクトで用いられる作業命令のプロセスフローへ直接結合される。ケーブルプラント又は機器位置(16)への全ての移動／追加／変化(Moves/Adds/Chanegs: ＭＡＣｓ)は、ＣＭＳ(38)にて追跡される。
【００５８】
＜ネットワーク管理システム(ＮＭＳ)(40)＞
ネットワーク管理システム(ＮＭＳ)(40)の主な機能は、インストールされたネットワークインフラストラクチャーを監視し、故障及び運転状況について報告することである。ＮＭＳ(40)は、ＤＶＡＤＴＳ(34)ＡＴＭバックボーン、セキュリティオペレータワークステーション、セキュリティシステム(10)サーバ、ＤＶＲＳ(32)及びＤＶＴＳ(30)サブシステムの管理を行なう。
【００５９】
コアＡＴＭネットワーク(26)を管理するために、MarconiのServiceOnデータを選択した。このデータは、ＡＴＭネットワーク(26)に画面(view)を作成し、他のＩＰベースデバイスと統合することができる。様々なサブシステムのプロバイダーは、コアネットワークの管理する他に、自らの管理ソフトウエアを利用して、所定のサブシステムの特定局面をモニターして詳しく示す。例えば、CellStackＮＭＳ(40)ソフトウエアは、シンプルネットワークマネジメントプロトコル(ＳＮＭＰ)のプロキシエージェントとして機能し、ＤＶＴＳ(30)サブシステムに直接ＡＴＭコールすることにより、ＤＶＴＳ(30)に関する情報を集めて、その情報を、HP Openviewに直接送り込む。ServiceOnデータとCellStackマネージャーを両方ともHP Openviewの中へ統合できる場合、様々なサブシステムを観察するための単一フレームワークを提供すると、ＮＭＳ(40)プラットフォームは、ネットワーク管理者による検討のための情報を結合することができる。さらにまた、ServiceOnデータ２.２の中に、ページング／e-mail機能が付与されると、ネットワークマネージャは、システム故障又は事前設定のトリガイベントの即時告知を受けることができる。
【００６０】
HP Openviewは、MarconiのServiceOnデータ及びCellStackの管理ソフトウエアと共に、ベースＮＭＳ(40)のソフトウエアアプリケーションとして用いられる。CellStackの管理ソフトウエアは、ＡＰＩ統合アプリケーションシステムを使用し、多くの拡張機能(例えば、ＡＴＭ回路トレーシング、リアルタイム回路グラフィング、回路プロビジョニング、ウエブベースのレポーティング、性能閾値のモニタリング、及び警報のカスタマイズ化など)を用いることにより、セキュリティシステム(10)の特定要件を取り扱うだけでなく、それらの要件をはるかに越えた総合管理ソルーションを提供することができる。これは、ＮＭＳ(40)アプリケーションとの組合せによってのみ提供することが可能である。
【００６１】
ＮＭＳ(40)オペレーティングシステム(ＯＳ)は、Service Pack２/３がインストールされたWindows(登録商標)２０００サーバ、２Ｇｂのメモリを有するＩＢＭラック搭載可能なＸシリーズ１.８ＧＨＺのＣＰＵ、４ＲＡＩＤ設定されたディスクドライブを含んでいる。これを円滑に行なうために、ＲＡＩＤ１設定されたコントローラは、４個の３６Ｇｂ ＳＣＳＩディスクと共に、２個のディスクミラーリングサポートシステムを提供する。第１のミラーは、オペレーティングシステム(ＯＳ)をサポートし、一方、第２のディスクミラーは、ＮＭＳ(40)データベースと集められたデータの格納位置(16)を提供する。さらに、システムの初期性能及び将来性能は、マルチプロセッサのプラットフォームをサポートするデュアルＣＰＵｓを設定し、３つの主要なＮＭＳ(40)アプリケーションのニーズを処理するのに十分なメモリによって取り扱われる。モデム、サウンドカード及びＤＶＤＲ／ＲＷドライブは、サーバプラットフォームの中に設定され、インクリメンタルバックアップ及びフルバックアップのような現在及び将来のユーティリティニーズや、ＮＭＳ(40)及びシステムイベントユーティリティを通じて獲得されたイベント及び警報に対する将来のオーディオ及びページング応答がサポートされる。
【００６２】
さらにまた、HP Openview及びServiceOnデータは、ログイン機能を提供し、パスワードの認証によって、ウエブＵＩ付きの管理データのセキュリティによって、ユーザの役割が規定され、グループが責任を負うネットワークの領域に基づいてフィルタ処理される。セキュリティには、インバンド通信が用いられ、セキュリティシステム(10)のネットワークのデータ伝送機器の管理が行われる。インバンド通信は、ＴＣＰ／ＩＰアドレス可能な方法をＮＭＳ(40)に用いられ、セキュリティシステム(10)でサポートされる全ての機器にアクセスし管理する。セキュリティ目的のために、管理ＥＬＡＮとセキュリティシステム(10)ネットワークの他の部分との間に、ルーティングパスは存在しない。ServiceOnデータアプリケーションはまた、監査ログ(audit log)を提供することにより、追加のセキュリティ機能を具えている。監査ログは、現在の日付、時間、ユーザアカウント、ＮＭＳ(40)アプリケーションのサブプロセスの中で発せられる全ての設定制御指令に対する指令等が含んでいる。
【００６３】
ＮＭＳ(40)のオペレータワークステーションは、実際のＮＭＳ(40)の機能を全て提供する。これにより、ＮＭＳ(40)サーバは安全環境の中に収容されることができる。ＮＭＳ(40)ワークステーションは、ＮＭＳ(40)と分離した位置(16)にあり、システムの主要な使用位置となる。システムが所定の性能を確実に発揮できるようにするため、次のハードウエアが選択される。
【００６４】
HP OpenViewは、ＴＣＰ／ＩＰトランスポートを経て、Marconi機器の小管理と発見を支援することができるのに対し、ServiceOnデータは、リアルパワーハウス(real powerhouse)であり、ＩＬＭＩシグナリングにより、真のＡＴＭを発見する。このスイッチ環境の網状化アーキテクチャを相互接続するＡＴＭ経路を見つけてマッピングすることは、このアプリケーションの長所の１つである。強化されたトラブルシューティングと回路プロビジョニングは、このＮＭＳ(40)ＡＰＩを、ＮＭＳ(40)サブシステムのサポート全体に統合することによってもたらされる追加の特徴である。
【００６５】
＜セキュリティオペレータワークステーション＞
警備人が監視できるように統合された全体システムは、セキュリティオペレータワークステーション(ＳＯＷ)(42)の中心にある。ＳＯＷ(42)では、警備員が使用できるように、セキュリティシステム(10)は、グラフィカルユーザインターフェース(ＧＵＩ)(44)の中に実質的に組み込まれる。セキュリティシステム(10)に組み込まれたＧＵＩ(44)は、警備員に対して、アラーム又はコールボタンイベントに対して警報を発するのに必要なツールを提供し、これにより、警備員は前記イベントに対して必要なアクションをとることができる。
【００６６】
セキュリティオペレータワークステーションに用いられる主なアプリケーションは、Matrix Frontier Workstation 5.7ソフトウエアである。Matrix Frontierソフトウエアは、クライアント／サーバのアーキテクチャであり、これによって、FrontierサーバはＡＰＩコールを利用し、ＤＶＴＳ(30)及びＤＶＲＳ(32)サブシステムと夫々通信し、ライブオーディオ及びライブビデオ、記録オーディオ及び記録ビデオを、クライアント側のFrontier Workstationソフトウエアに送信することができる。さらにまた、Matrix Frontierソフトウエアにより、警備員は、ＰＴＺカメラ(48)の遠隔制御が可能となり、この警備員は、カメラ(48)を操作して、所定の特定領域の最良の場面を得ることができる。
【００６７】
警備員が、Matrix Frontierソフトウエアの能力以上のものを所望し、ＤＶＲＳ(32)又はＤＶＴＳ(30)サブシステムを直接制御する場合、例えば、Nice Vision Control(記録オーディオ及び記録ビデオ再生用)又はCellStack Operator(ライブオーディオ及びライブビデオ供給用)のソフトウエアのような特定サブシステム制御用アプリケーションを呼び出すことができる。これにより、警備員には、ＡＣＳ(28)、ＤＶＴＳ(30)及びＤＶＲＳ(32)システムの他、Matrix Frontierアプリケーションによってもたらされる統合画面について、フル機能のフレキシビリティが与えられる。
【００６８】
図３に示されるように、主なMatrix Frontier Workstationの動作スクリーン(46)は、警備員に割り当てられるグラフィカルキャンパスマップの他、ライブ及び記録されたビデオ再生ウインドウの中へ、画面を提供する。
【００６９】
＜Frontier Workstationソフトウエア＞
Matrix Systems, Inc.から提供されるFrontier 5.7は、Frontier Workstationと呼ばれる単一のグラフィカルユーザインターフェース(ＧＵＩ)(44)を用いることにより、様々なサブシステムの全部を結合する。Frontier Workstationソフトウエアは、イベントコンディションであることを警備員に警告し、応答すべき機能を警備員に提供する。これらの機能として、特定位置(16)へライブオーディオ及びライブビデオフィードを、ＤＶＴＳ(30)サブシステムを経てアクセスできる能力、及び／又は、記録されたイベントをＤＶＲＳ(32)のサブシステムから同時に表示できる能力を挙げることができるが、これらに限定されるものではない。
【００７０】
Frontierアプリケーションにより、このグラフィカルユーザインターフェースは、セキュリティシステム(10)アーキテクチャに基づいて、種々のサブシステム・ステムに供給される。なお、前記アーキテクチャは、ソフトウエアで運用される相手先選択接続(ＳＶＣ)の技術である。これまでのセキュリティシステム(10)アーキテクチャは、各カメラ(48)位置(16)に対するビデオマトリックススイッチング及び専用帯域制御に大きく依存しているが、それとは異なり、ＳＶＣ技術は、非同期転送モード(ＡＴＭ)ネットワークに固有の特徴を有する利点があり、本質的にビデオオンデマンドであることが可能となる。帯域は、必要に応じて割り当てられるが、ビデオ信号の品質又は性能を損なうことはない。カメラ(48)からＳＯＷｓ(42)へのビデオ／オーディオ／ＰＴＺ信号を、Frontierアプリケーションのソフトウエア運用管理下にて、ＤＶＴＳ(30)で圧縮及び解凍する場合、ＳＯＷ(42)にいる警備員には、警備員が設定したビデオ／オーディオ接続の帯域が唯一与えられ、唯一必要とするものである。
【００７１】
さらにまた、ＡＣＳ(28)をＤＶＲＳ(32)及びＤＶＴＳ(30)サブシステムと統合することにより、先進能力が構築される。これにより、カメラ(48)の制御が直ちに開始し、イベントは、予め設定されたとおり、オーディオ／ビデオ記録を開始し、ＳＯＷ(42)にいる警備員に警告が発せられる。これは、セキュリティの監視員に対して、必要な監視ツールを直ちに提供する。このシステムでは、警備員は、イベントを発見して次に応答する場合と比べて、イベントの応答に集中することができる。セキュリティシステム(10)におけるイベントに対する応答時間の長さは、システムの機能向上によって短縮され、警備員には、監視画面に必要とされるツールが提供され、影響あるイベント領域とオーディオ及びビデオ接続が行われる。カメラ(48)がＰＴＺ能力を有する場合、遠隔制御が行われる。
【００７２】
＜NiceVision Control アプリケーション＞
ＳＯＷ(42)は、警備員の使用に供するために、他のソフトウエアパッケージを常駐させることもできる。例えば、NiceVision Controlアプリケーションを、ＳＯＷ(42)で運用することにより、Frontier Workstationソフトウエアで利用可能な記録ビデオウインドウによってもたらされる記録ビデオの再生能力を補うことができる。NiceVision Controlアプリケーションにより、オペレータは、Frontierソフトウエアアプリケーションとは独立して、オーディオ／ビデオクリップのサーチと再生を行なうことができる。再生は、NiceVisionレコーダのハードディスク又は関連するテープjukeboxに格納されたＡ／Ｖを利用して行われる。サーチで実行されるパラメータとして、アラーム、日付／時間、カメラ(48)、トリガーの種類、フラグ設定されたビデオクリップのコメントを挙げることができる。
【００７３】
一旦、再生が開始すると、Controlアプリケーションは次の機能を提供する。
・  オーディオ／ビデオ再生制御の選択は、開始／停止、一時停止／再開に対して行われる。
・  ビデオ再生制御の選択は、早送り、遅送り、コマ送り、スキャン送り、スキャン戻し、現在セグメント内で特定時間への相対ジャンプ、ループバックに対して行われる。オーディオは、これら機能の実行中、利用できない状態となる。
【００７４】
Ｈ.２６３＋圧縮ビデオの再生は、ＡＴＭベースの新セキュリティネットワークの中に存するイーサネットＶＰＮを通じて送られるＩＰベースのビデオストリームを経由して達成される。この圧縮ビデオストリームの帯域は、およそ１Ｍｂｓ／ビデオの流れである。前記圧縮ビデオストリームは、１０／１００イーサネットのネットワークインターフェースカードを経てＳＯＷ(42)に到達し、次に、能動的に設定された"モニター"ポートへ送られる。再生と関連づけされたオーディオは、ＳＯＷ(42)に設定されたサウンドカードに送られ、該サウンドカードに接続された付属スピーカに分配される。
【００７５】
＜CellStack Operator＞
Frontierワークステーション及びNiceVision Controlアプリケーションに加えて、CellStack Operatorアプリケーションもまた、ＳＯＷ(42)に置かれる。CellStack Operatorは、又はセキュリティシステム(10)のＤＶＴＳ(30)又はライブビデオ部分に、より多くの粒度制御された画面を供給することにより、他のアプリケーションを補うことができる。CellStack Operatorにより、警備員は、オーディオ及びビデオ接続を手操作で設定し、ＤＶＴＳ(30)を手動モード制御することができる。手動モード制御は、セキュリティシステム(10)のＤＶＴＳ(30)部分の動作制御モードとして定義され、Frontierアプリケーションでは動作モードは自動的に行われるのに対し、Operatorは、オーディオ及びビデオの接続を手動で設定する必要がある。自動モードの動作では、Operatorがイベントを認識したとき、オーディオ及び／又はビデオの接続は自動的に行われる。例えば、警備員が特定ゲートの監視を所望する場合、CellStack Operatorを用いて、所望ゲートと関連づけられたカメラ(48)の位置を定める。次に、該当する場合には、ＰＴＺのフル制御を行なう。所望により、警備員は、通信すべき領域に配置されたインターコムとの双方向オーディオ接続をさらに設定することができる。
【００７６】
＜ＳＯＷ(42)のハードウエア及びソフトウエアの概要＞
ＳＯＷ(42)は、幾つかの重要なソフトウエアとハードウエアから構成される。
ＳＯＷワークステーションのハードウエアの構成は次の通りである：Windows 2000 Machine； 1.5Ghz, 1GB RAM, 40G HD； Osprey 210 ビデオキャプチャーカード；  Marconi ATM NICカード；  CellStack CapellaLiteビデオデコーダ；  10/100イーサネットカード；  スピーカ付きサウンドカード
【００７７】
[ソフトウエアスイート]
ＡＣＳセキュリティシステム(10)のFrontierサーバで用いられるソフトウエアは次の通りである。
・  Windows 2000サーバ
・  PCAnywhere
・  Tardis同期化ソフトウエア
・  CRT Telnetソフトウエア
・  Serv-U FTP サーバDaemon
・  Microsoft SQLサーバ2000
・  Frontier Services Version 5.7
【００７８】
[ソフトウエアスイート]
ＳＯＷｓシステムで用いられるソフトウエアは次の通りである。
・  Windows 2000 Professional
・  Frontier Workstation Version 5.7
・  PCAnywhere
・  Tardis同期化ソフトウエア
・  NICE Vision Control Application 5.0
・  CellStack OWS 4.0
・  Microsoft SQL CAL
・  Internet Explorer 5.5
・  Osprey Video Captureソフトウエア
【００７９】
セキュリティシステム(10)の１バージョンを構成する様々なサブシステム及び夫々の製品のリストを次に示す。次の製造者は包括的(comprehensive)ＩＳＳに組み込まれているが、様々なサブシステムカテゴリーの一部又は全部を他のサブシステムプロバイダーと置き換えることは可能である。なお、シグナリングトランスポートが共通している場合、Fire Control、Biometricsなどのサブシステムをこのソルーションに加えることもできる。
【００８０】
下記のサブシステム及びそれらのプロバイダーを組み込み、試験したところ、非常に複雑化した統合セキュリティソルーションに有効であることが立証された。
・  Access Control System (ACS) (28) -- Matrix Systems, Inc.
ＡＣＳ(28)は、選択位置(16)における入口及び出口地点の管理に供される。
・  Digital Video Transport System (DVTS) (30) -- CellStack Systems
ＤＶＴＳ(30)は、高品質のライブオーディオ及びライブビデオフィード、カメラ(48)の遠隔制御、ドライコンタクトクロージャの検出に供される。
・  Digital Video Recording and Storage System (DVRS) (32) -- NICE Systems LTD
ＤＶＲＳ(32)は、オーディオ／ビデオフィードのデジタル記憶及び検索に供される。
・  Digital Video, Audio, and Data Transport System (DVADTS) (34) -- Marconi Communications
ＤＶＡＤＴＳ(34)は、完全統合されたセキュリティソルーションからの通信において、全てのオーディオ、ビデオ及びデータのデジタル伝送を行なう。
【００８１】
ＡＣＳ(28)アーキテクチャを図８に示している。Frontierアーキテクチャの主要素として、次のものが挙げられる。
・  Frontier Server  (＊)
・  Frontier Workstation(s)
・  Frontier Badging Workstation(s)
・  Building Controller(s) (22)
・  Reader Control Modules
・  Card Readers
(＊)  頑丈な構造の中で、ハイアベイラビリティを実現できるように、Frontierサーバをサーバアレイの中に設定し、もし、プライマリサーバが故障した場合でも、バックアップサーバが引き継ぐことができるようにする。
【００８２】
キャンパスの至る所に、カードリーダが配置され、リーダ制御モジュールの上流側へ通信する。リーダ制御モジュールは、カードリーダ通信を統合し、建物コントローラ(22)の上流側へ通信する。建物コントローラ(22)は、リーダの制御モジュール通信を統合し、Frontierサーバにより、上流へ通信する。
【００８３】
Frontier Workstationソフトウエアは、クライアント側ＡＣＳ(28)の総合的サーバアプリケーションであり、パーソナルコンピュータのMirosoft Windows２ｋで使用することができる。Frontier Workstationソフトウエアは、セキュリティオペレータワークステーション(ＳＯＷ)(42)を構成するソフトウエアのスイートにおける主たるソフトウエアアプリケーションである。
【００８４】
Frontier Badging Workstationを用いて、FrontierサーバのＳＱＬデータベースの中に個人のセキュリティデータが入力され、キャンパスの全体に配置されたカードリーダで用いられる磁気ストライプを用いて、認証バッジが作成される。
【００８５】
ＡＣＳ(28)自体は、ＤＶＴＳ(30)及びＤＶＲＳ(32)と統合することなく、カードリーダが装備された様々なチェックポイントで磁気スワイプカードを用いて、アクセスレベルセキュリティを維持することができる。システム内で無効バッジや強制ドア等の警報が起こると、警報は、Frontier Workstationにいる警備員の元へ送られる。
【００８６】
ＡＣＳ(28)を、ライブオーディオ／ビデオフィード、カメラ(48)の遠隔制御、コールボタン、及び記録オーディオ／ビデオ再生と統合するために、Frontierサーバは、CellStack Gateway(ＤＶＴＳ(30))及びNice Vision Pro Loggers(ＤＶＲＳ(32))と通信することができなければならない。この統合は、ＴＣＰ／ＩＰから両サブシステムへの通信を必要とする他、特定の設定情報をサブシステムの各々に取り込む必要がある。
【００８７】
ＤＶＴＳ(30)とＤＶＲＳ(32)を統合するために、ＡＣＳ(28)を次のとおり設定せねばならない。
Frontierソフトウエアのインターフェースセットアップセクションでは、システム内に配置された様々なNice Vision Pro Loggersを用いて記録媒体を設定する。これは、名前を割り当てて、システム内の各ロガーのＩＰアドレスを入力する必要がある。
Frontierソフトウエアのインターフェースセットアップセクションでは、CellStack Gatewayサーバの名前とＩＰアドレスを用いてCellStackサブシステムを設定する。
ＡＣＳ(28)の中に２つのサブシステムのインターフェースが定義されると、サブシステムリソースの使用が設定される。設定されなければならないリソースとして、ＤＶＴＳ(30)では、カメラ(48)、プレセット、Ｉ／Ｏユニットのコールボタンインターフェース、オーディオチャンネルがあり、ＤＶＲＳ(32)では、自動記録チャンネル、ビデオ記録チャンネルを含んでいる。
ＤＶＴＳ(30)及びＤＶＲＳ(32)のインターフェース及びリソースが定義されると、様々なリソースの使用シーケンスを定義し、ＡＣＳ(28)が発生する特定の警報に割り当てねばならない。
これらのシーケンスには、例えば、次のアイテムが含まれる。
・  ライブビデオを、カメラＡからＳＯＷ１に接続する。
・  カメラＡをプレセット番号１に移動させる。
・  ドア１に位置するインターコムステーションへのオーディオ通信を開始する。
・  検索のために、インターコムステーション１のオーディオ記録にタグを付す。
・  検索のために、カメラＡのビデオ記録にタグを付す。
【００８８】
ＡＣＳ(28)による使用が許容されるリソースと共に、ＡＣＳ(28)の中のＤＶＴＳ(30)及びＤＶＲＳ(32)サブシステムを定義することにより、ＡＣＳ(28)を、ＤＶＴＳ(30)及びＤＶＲＳ(32)インターフェースにコールすることができるので、セキュリティ及び監視ソルーションの機能向上のために、種々のリソースが用いられる。警報イベントが起こると、ＡＣＳ(28)はライブビデオ及びライブオーディオを接続してイベントを記録し、また、この情報を使用して、ＳＯＷ(42)に表示する。
【００８９】
＜ＤＶＴＳ(30)の構成及び設定＞
図９に示すＤＶＴＳ(30)アーキテクチャは、CellStack Sysrems製造による構成要素から構成される。
・  Centauriシャーシ
・  ３２ポートＩ／Ｏユニット
・  CellStack Gatewayサーバ
・  Capella Liteデコーダ
・  CellStack Operatorソフトウエア(＊)
・  CellStack Managerソフトウエア
(＊)  このソフトウエアは、サブシステムをセットアップしテストするのに用いられるだけであり、統合ソルーションによって能動的に用いられない。
【００９０】
CellStackのCentauriシャーシを、キャンパスの全体に配置し、インターコムステーション、シリアルカメラの遠隔ケーブル、ＮＴＳＣビデオカメラが接続される。Centauriシャーシと同じ位置(16)に、３２ポートＩ／ＯユニットがCentauriに接続され、コールボタン機能をサポートするのに必要なドライコンタクトクロージャの検出に供される。
【００９１】
Centauriシャーシユニットは、ＡＴＭ ＯＣ−３ｃによって接続され、ＤＶＡＤＴＳ(34)の上流に接続される。Centauriは様々なオーディオストリーム及びビデオストリームをエンコードし、ＤＶＡＤＴＳ(34)を通ってCapella Liteデコーダユニットへ送信し、次に、ＮＴＳＣビデオ信号と双方向オーディオを、セキュリティオペレータワークステーション(ＳＯＷ)(42)に供給する。
【００９２】
CellStack OperatorのＩＳＳでの主な作業は、ＤＶＴＳ(30)サブシステムの設定、特にカメラ(48)の領域で予め行われる遠隔設定を補助することである。キャンパス内の各ＰＴＺカメラ(48)は、前もって設定することができ、CellStack Operatorの中で設定と試験を行なうことができる。さらにまた、CellStack Operatorは、CellStack Gatewayを経てＡＣＳ(28)で利用可能となる前に、様々なビデオフィードの試験を補助する役割を有する。
【００９３】
CellStack Managerは、ＤＶＴＳ(30)サブシステムの中のリソース及びパラメータを設定するのに用いられ、サブシステムの全ての特徴を定義するＤＶＴＳ(30)データベースの中の主なデータベースを維持する。CellStack Managerは、例えば、次のアイテムで設定される。
・  ＡＴＭ  ＮＳＡＰアドレッシング
・  物理的トポロジー情報
・  エンコーディングパラメータを定義するためのプロファイル
・  サービス品質パラメータ付きＳＶＣコール設定プロファイル
【００９４】
CellStack Gatewayサーバは、ＡＰＩを提供し、ＡＣＳ(28)がＤＶＴＳ(30)サブシステムリソースへアクセスできるようにする。CellStack Gatewayは、ＴＣＰ／ＩＰを介して、ＡＣＳ(28)と通信する。
【００９５】
ＤＶＴＳ(30)サブシステムの設定は、必然的プロセスであり、あらゆるリソース、エンコーディングタイプ、プロファイル、アドレッシング、遠隔制御プロトコルなどを定義する。サブシステムが、該サブシステムに取り付けられた様々なリソースにアクセスし制御できるように独立して設定されると、リソースは、CellStack Gatewayサーバで、エイリアス(Alias)テーブル及びエイリアス遠隔テーブルを設定することにより、ＡＣＳ(28)で利用可能となる。Gatewayサーバの中では、CellStack GatewayサーバＡＰＩを用いたコーリングアプリケーションで使用するために、様々なリソースが定義される。
【００９６】
CellStack Gatewayサーバのエイリアステーブル及びエイリアス遠隔テーブルの中で設定されるアイテムには、次のものが含まれる。
・  特定カメラ(48)の入力
・  特定オーディオの入力
・  特定オーディオの出力
・  特定ビデオのデコーディング位置
・  Ｉ／Ｏユニットの定義(ドライコンタクトクロージャ)
・  ＰＴＺカメラ(48)の特定遠隔制御定義
【００９７】
図１０に示されるＤＶＲＳ(32)アーキテクチャは、次の構成要素から構成される。
・  Tape JukeBox(Qualstar)付きのNICE Vision Pro Logger
・  Administration Management Server(ＡＭＳ)
・  Web Access Server(ＷＡＳ)
・  Central Storage Server(ＣＳＳ)／長期保存用サーバ(ＬＴＳＳ)
・  NICE Vision Control Application(＊)
・  Nice SiteBuilder Application(＊)
(＊)  サブシステムのセットアップ及び試験にのみ用いられ、統合ソルーションによって能動的に用いられない。
【００９８】
ＮＶＰＲＯロガーは、取り付けられた全てのチャンネルにビデオ２４×７を記録し、イベントがトリガされると、オーディオ入力を記録する。各ＮＶＰＲＯロガーは、そのローカルハードドライブの他、テープJukeBox付きＳＣＳＩ(製造者はQualstar)に対して、デジタル化したオーディオ／ビデオを同時に記録する。システムの中のＮＶＰＲＯロガーの各々は、イーサネット１０／１００カードを経てＤＶＡＤＴＳ(34)へ接続されたネットワークであり、ＡＭＳへの通信が可能となる他、そのＡＰＩへの通信経路が利用可能となる。ＮＶＰＲＯロガーのＡＰＩは、ＡＣＳ(28)によって用いられ、ＤＶＲＳ(32)サブシステムへのタグ付け及び検索コールが行われる。
【００９９】
ＡＭＳは、例えば、サイト管理方針(site administration policies)、カメラ(48)のセットアップ情報、ＮＶＰＲＯロガーの設定、ＮＶＰＲＯロガーＩＰアドレスなどのサブシステムの一般的パラメータを維持する。ＤＶＲＳ(32)のサブシステムの主なデータベースは、ＡＭＳサーバに含まれている。
ＣＳＳには、長期保存用のタグが付されたアイテムが格納される。
【０１００】
ウエブアクセスサーバ(ＷＡＳ)は、ウエブブラウザ(Web Browser)が、ＨＴＴＰプロトコルを経てＤＶＲＳ(32)サブシステムのリソースにアクセスできるようにする手段を提供する。ＷＡＳは、統合セキュリティソルーションの機能部ではなく、セキュリティシステム(10)の中の様々なワークステーションに供給され、特定ＤＶＲＳ(32)のサブシステム機構に対して、この種のアクセスが行われる。
【０１０１】
NICE Vision Controlアプリケーションは、例えば、所定のオーディオ／ビデオポートの記録、ビデオセグメントの再生等のように、様々なサブシステム機能にアクセスするために用いられる。このアプリケーションは、サブシステムレベルでは単独で用いられ、統合セキュリティソルーションの機能要素ではない。また、サブシステムの設定を検証するための試験目的にも用いられる。
NICE SiteBuilderアプリケーションは、ＤＶＲＳ(32)サブシステムの中の様々なロガー及びリソースをセットアップするのに用いられる。
【０１０２】
ＩＳＳへ統合できるようにするために、ＤＶＲＳ(32)のサブシステムの中で必要とされる設定として、次のアイテムが含まれる。
・  各々のＮＶＰＲＯロガー及びＣＳＳに割り当てられるＩＰアドレス
・  例えば１秒あたりのフレームレートや記録ビットレートの如き記録パラメータで定義された各ＶＰＰポート
・  トリガ・スレッショルドのような記録パラメータ及びエンコーディング方法で定義された各ＡＰＰポート
・  １分前及び１分後のイベントを含むイベントトリガ
・  ユーザアクセスプロファイル
・  ソースクロックのような時間同期化パラメータ
【０１０３】
ＤＶＡＤＴＳ(34)アーキテクチャはフレキシブルで、このデジタルトランスポートを利用するその他のサブシステムの現在及び将来の帯域要件に対応して設計される。ＤＶＡＤＴＳ(34)アーキテクチャは、Marconi社の次の製品から作ることができる。
・  ＡＳＸ４０００
・  ＡＳＸ１０００
・  ＥＳ２８１０
【０１０４】
ＡＳＸ４０００は、バックボーンＡＴＭトランスポートを提供し、ＡＳＸ１０００の従属アップリンク(tributary uplinks)をアグリゲート(aggregate)する。
ＡＳＸ１０００は、ＯＣ−３ｃをＤＶＴＳ３０サブシステムに直接接続する他、ＯＣ−３ｃ付きＥＣ−２８１０及びそのイーサネットトラフィックの接続点(aggregation point)を提供する。
【０１０５】
ＥＳ−２８１０は、そのようなトランスポートを必要とする全てのサブシステムのイーサネット接続を可能とし、さらにイーサネットトラフィックをＡＴＭバックボーンへ接続し、ＯＣ−３ｃアップリンクからＡＳＸ−１０００へ接続する。
【０１０６】
様々なサブシステムのプロバイダーによる帯域トランスポートを容易にかつ柔軟に行えるように、ＤＶＡＤＴＳ(34)システムの設定には、デジタルネットワークの設定が伴う。図１１に示すように、ＤＶＡＤＴＳ(34)の設定アイテムは、例えば、次のものを含んでいる。
・  ＮＳＡＰアドレッシング
・  ＩＰアドレッシング
・  ＬＡＮエミュレーションサービス(分配付き)
・  ＥＳ−２８１０ポート定義(ＥＬＡＮ割当て付き)
・  ポートスケジューリング
・  ファイバールーティング割当て
・  ユーザーパスワード
・  ＳＮＭＰトラップターゲットロケーション
・  ファブリック及びnetmodの割当て
【０１０７】
図１２に示すオーディオインターフェースユニット(ＡＩＵ)は、セキュリティオペレータワークステーションと、キャンパスの至る所に配置されたインターコムステーションとの間で、２方向オーディオ通信を行なう。ＡＩＵは、ＡＣＳ(28)からのメッセージに応答して、ＤＶＴＳ(30)のビルトインオーディオインターフェースとＤＶＡＤＴＳ(34)のネットワークを利用して、インターコムステーションのユーザーを、ＳＯＷ(42)のセキュリティオペレータに接続する。一旦この接続が構築されると、インターコムユーザーとセキュリティオペレータとの通信を記録するために、ＡＩＵは、ＤＶＲＳ(32)に対するオーディオ経路に供される。
【０１０８】
オーディオインターフェースユニットには、次の３つの主要構成要素がある。
・  インターコムステーション
・  ＡＩＵミキサー
・  ヘッドセットプリアンプ
【０１０９】
このインターコムステーションは、表面実装型ハンズフリーのフルデュプレクスインターコムである。その内部アンプとスピーカは、ラインレベルオーディオＩＮで作動し、そのマイクロホン及びプリアンプは、ラインレベルオーディオＯＵＴをＤＶＴＳ(30)インターフェースに出力する。ステーションは、コンタクト信号情報を発して、起動中のＤＶＴＳ(30)サブシステムに警報を発する。ステーションは、ユーザーに対して、コールが行われた状態及びコールが受信された状態を示す２つのＬＥＤインジケータを有している。
【０１１０】
オーディオインターフェースミキサー(ＡＩＭ)は、インターコムステーションに連絡し、２４チャンネルのインターフェースとして設計されている。ＡＩＭから出力され、ＡＩＭは、インターコムステーションとの間で行われる全ての信号の分配点となる。インターコムからの信号は、標準の１８ＡＷＧケーブルで受信し、セキュリティ機器ルームに配備されたＤＥＭＡＲＣ(１１０又はＭ６６型)まで送られる。ＡＩＭは、標準の５０ピン電話コネクターを経てＤＥＭＡＲＣに接続される。ＡＩＭは、各インターコムからのオーディオＩＮとオーディオＯＵＴを混合し、合成された出力をラインレベルで、ＤＶＴＳ(30)及びＤＶＲＳ(32)へ供給する。
【０１１１】
ヘッドセットプリアンプにより、ラインレベルのオーディオＩＮ／ＯＵＴデバイスに対して、低電力オーディオヘッドセットを接続することが可能となる。ヘッドセットのマイクロホン出力は、ラインレベルまで増幅され、一方、入力ラインレベルの音声はイヤホンレベルに調節される。さらにまた、プリアンプは、調節可能なモニタートーンをオーディオ出力パスへ供給する。接続されると、このトーンは、インターコムステーションへの記録警報トーン(record warning tone)となる。
【０１１２】
ＡＵＩの設定は、前述したように、ＤＶＴＳ(30)サブシステムとＤＶＲＳ(32)サブシステムの両方にエントレス(entress)することである。ＡＵＩで必要とされる物理的接続以外は、ヘッドセットゲインを所望によって調節することはあるけれども、ＡＵＩそのものは、個々のパラメータ変更を必要としない。ＤＶＲＳ(32)及びＤＶＴＳ(30)サブシステムで行われる設定として次のものがある。
・  ＤＶＴＳ(30)の中でオーディオとコールボタンの接続を設定し、CellStack Gatewayを通じてリソースを提供すること。
・  ＤＶＲＳ(32)サブシステムの記録ポートを、適当なエンコーディングレベル及びスレッショルドレベルとなるように設定すること。
・  オーディオのリソースとコールボタンを使用できるようにＡＣＳ(28)を設定すること。
【０１１３】
アプリカントタイミング(applicant timing)は、Tardisのシンクロナイゼーションソフトによって行われる。ソフトのサーバ部分は、主要なＡＣＳサーバ上で稼働し、ＤＶＴＳ(30)、ＤＶＲＳ(32)及びＳＯＷｓ(42)は全て、Tardisアプリケーションの夫々のクライアント側バージョンを有するこのソースのアプリケーションタイミングに由来する。
【０１１４】
オーディオインターフェースユニットは、３つの主要な機能部品を具えており、Emcom Systemsによって供給される。
モデル番号は次の通りである。
Model 842：  インターコム・コールボタンユニット／ボイスエンドステーション
Model 843：  オーディオインターフェースミキサー／２４チャンネル
Model 844：  ヘッドセットプリアンプ
【０１１５】
この大規模配置を行なうためにインストールされるケーブルマネジメントシステムは、Cerberus CMSである。Cerberus CMSは、クライアント−サーバのアーキテクチャであり、サーバ部は、Windows 2000サーバプラットフォームで稼働する。ワークステーションは、Windows 2000 Professionalを稼働する。その他の主な稼働アプリケーションは、AutoCAD 2002である。Cerberus CMSのインストールは、標準インストールであり、例えば、ファイバー試験データ、ルームレイアウト、配管位置、ファイバー端末、機器仕様、インベントリ(inventory)など、統合セキュリティソルーションに関する様々なデータ要素が、サーバ上で稼働するCerberusデータベースの中に格納される。インフラストラクチャーに対する移動／追加／変更は、ＣＭＳに記録される。
【０１１６】
統合セキュリティソルーションは、共通の通信トランスポートを利用することにより、その主たるフレキシビリティとその相対的な統合の容易性を獲得する。これまでは、物理的ハードウエアによって接続され、一体化されていなかったが、ＤＶＡＤＴＳ(34)を用いることによって、デジタルネットワークトランスポートは、サブシステムの各々に対して共通の通信手段を提供する。図１３に示されるように、ＩＳＳは非常に複雑なシステムであるが、どのサブシステムが他の要素との接続を必要とするかを、独立して観察し把握することができるので、非常に明確になる。さらにまた、ここに記載したＩＳＳは、共通の通信トランスポートに基づく配置を行なうのに必要な具体的要件に応じて、さらなる拡張を行なったり、制限を付することは可能である。
【０１１７】
本発明の実施例について詳細に説明したが、それらは単なる例示であって、当該分野の専門家であれば、特許請求の範囲に記載された発明の精神及び範囲から逸脱することなく、その詳細について変形を成し得ることは理解されるべきである。
【図面の簡単な説明】
【０１１８】
【図１】セキュリティシステムのＳＯＷシステムの概要を示す図である。
【図２】ＤＶＡＤＴＳのＡＴＭネットワークの概略図である。
【図３】ＳＯＷのスクリーンキャプチャーを示す図である。
【図４】ＳＯＷの概略図である。
【図５】統合システムの概略図である。
【図６】コールボタンイベントの概略図である。
【図７】警報イベントの概略図である。
【図８】ＡＣＳアーキテクチャの概略図である。
【図９】ＤＶＴＳアーキテクチャの概略図である。
【図１０】ＤＶＲＳアーキテクチャの概略図である。
【図１１】ＤＶＡＤＴＳアーキテクチャの概略図である。
【図１２】オーディオインターフェースユニットのアーキテクチャの概略図である。
【図１３】統合セキュリティシステムの概略図である。
【符号の説明】
【０１１９】
(10)  セキュリティシステム
(12)  監視ノード
(14)  ビデオソース
(18)  モニタリングノード
(20)  ディスプレイ
(22)  コントローラ
(26)  ＡＴＭネットワーク
(30)  デジタルビデオトランスポートシステム
(32)  デジタルビデオレコーディングシステム
(34)  デジタルビデオオーディオデータトランスポートシステム
【図１】
2004350275.tif 000003
【図２】
2004350275.tif 000004
【図３】
2004350275.tif 000005
【図４】
2004350275.tif 000006
【図５】
2004350275.tif 000007
【図６】
2004350275.tif 000008
【図７】
2004350275.tif 000009
【図８】
2004350275.tif 000010
【図９】
2004350275.tif 000011
【図１０】
2004350275.tif 000012
【図１１】
2004350275.tif 000013
【図１２】
2004350275.tif 000014
【図１３】
2004350275.tif 000015